(57)【特許請求の範囲】
【請求項１】
運用管理保守(OAM)機器によって送信され、ユーザー装置識別子を伝え、前記ユーザー装置識別子に対応するユーザー装置に対するシグナリング追跡を開始するために使用される第1のシグナリング追跡構成情報を基地局により受信することと、
前記基地局により、前記第1のシグナリング追跡構成情報を第１のコアネットワークノードに送信することと、
サービングコアネットワークノードによって送信され、前記第1のコアネットワークノードによって提供される前記第1のシグナリング追跡構成情報に従って前記サービングコアネットワークノードによって取得される第2のシグナリング追跡構成情報をサービング基地局により受信することと、
前記サービングコアネットワークノードによって送信された前記第2のシグナリング追跡構成情報に従って前記サービング基地局により前記ユーザー装置に対するシグナリング追跡を開始することと、
を含み、
前記第１のコアネットワークノードは、前記サービングコアネットワークノードとは異なり、
前記基地局は、前記サービング基地局とは異なるか、又は前記基地局と前記サービング基地局は同じ基地局であることを特徴とするシグナリング追跡方法。
【請求項２】
前記基地局により、前記第1のシグナリング追跡構成情報を前記第1のコアネットワークノードに送信することは、
前記第1のコアネットワークノードが前記第1のシグナリング追跡構成情報を格納するように、前記基地局によって前記第1のシグナリング追跡構成情報を前記基地局と接続されている前記第1のコアネットワークノードに送信すること、
前記第1のコアネットワークノードが前記第1のシグナリング追跡構成情報をホームロケーションレジスタ(HLR)またはホーム加入者サーバー(HSS)に転送するように、前記基地局によって、前記第１のシグナリング追跡構成情報を前記基地局と接続されている前記第1のコアネットワークノードに送信すること、または、
前記第1のコアネットワークノードが前記第1のシグナリング追跡構成情報を格納し、かつ前記第1のコアネットワークノードが前記第1のシグナリング追跡構成情報をホームロケーションレジスタまたはホーム加入者サーバーに転送するように、前記基地局によって、前記第1のシグナリング追跡構成情報を前記基地局と接続されている前記第1のコアネットワークノードに送信すること、
を含む請求項１に記載の方法。
【請求項３】
前記基地局により、前記第1のシグナリング追跡構成情報を前記第1のコアネットワークノードに送信することは、
前記基地局によって、前記第1のシグナリング追跡構成情報を前記基地局と接続されている少なくとも1つの第1のコアネットワークノードに送信して、前記第1のシグナリング追跡構成情報を受信した前記第1のコアネットワークノードが前記シグナリング追跡構成情報を処理するようにし、
前記処理は、
前記ユーザー装置のコンテキストが前記第1のシグナリング追跡構成情報を受信した前記第1のコアネットワークノード内に存在しない場合に、前記第1のシグナリング追跡構成情報を受信した前記第1のコアネットワークノードによって、前記第1のシグナリング追跡構成情報をホームロケーションレジスタもしくはホーム加入者サーバーまたは前記ユーザー装置の前記サービングコアネットワークノードに転送すること、
を含む請求項1に記載の方法。
【請求項４】
前記第1のコアネットワークノードおよび前記サービングコアネットワークノードはいずれもモビリティ管理エンティティ(MME)である、
請求項1から3のいずれか一項に記載の方法。
【請求項５】
前記第1のシグナリング追跡構成情報および前記第2のシグナリング追跡構成情報は、いずれも、シグナリング追跡を実行するための構成パラメータ、ドライブテストの最小化(MDT)を実行してデータを収集するための構成パラメータ、または、前記シグナリング追跡を実行するための構成パラメータならびに前記ドライブテストの最小化を実行してデータを収集するための構成パラメータ、
を含む請求項1から4のいずれか一項に記載の方法。
【請求項６】
シグナリング追跡の方法であって、
基地局によって送信され、ユーザー装置識別子を伝える第1のシグナリング追跡構成情報を第１のコアネットワークノードにより受信することと、
前記第１のコアネットワークノードにより、前記第1のシグナリング追跡構成情報をサービングコアネットワークノードに提供することを含み、
それにより、前記サービングコアネットワークノードは、前記第1のシグナリング追跡構成情報に従って第2のシグナリング追跡構成情報をサービング基地局に提供し、前記第2のシグナリング追跡構成情報が、前記ユーザー装置識別子に対応するユーザー装置に対するシグナリング追跡を開始するために使用され、
前記第１のコアネットワークノードは、前記サービングコアネットワークノードとは異なり、
前記基地局は、前記サービング基地局とは異なるか、又は前記基地局と前記サービング基地局は同じ基地局であることを特徴とする方法。
【請求項７】
前記第１のコアネットワークノードにより、前記第1のシグナリング追跡構成情報をサービングコアネットワークノードに提供することは、
前記第１のコアネットワークノードにより、前記第1のシグナリング追跡構成情報を格納する方法、
前記サービングコアネットワークノードがホームロケーションレジスタ(HLR)またはホーム加入者サーバー(HSS)から前記第1のシグナリング追跡構成情報を取得するように、前記第１のコアネットワークノードにより、前記第1のシグナリング追跡構成情報を前記ホームロケーションレジスタまたは前記ホーム加入者サーバーに転送する方法、および
前記第１のコアネットワークノードにより、前記第1のシグナリング追跡構成情報を前記ユーザー装置の前記サービングコアネットワークノードに送信する方法
のうちの少なくとも1つを含む請求項6に記載の方法。
【請求項８】
当該方法は、
前記第１のコアネットワークノードにより、前記ユーザー装置のコンテキストが前記第1のコアネットワークノード内に存在しないと判定することをさらに含み、
前記第１のコアネットワークノードにより、前記第1のシグナリング追跡構成情報を前記ホームロケーションレジスタまたは前記ホーム加入者サーバーに転送することは、前記第１のコアネットワークノードにより、前記第1のシグナリング追跡構成情報を前記ホームロケーションレジスタまたは前記ホーム加入者サーバーに転送し、前記ホームロケーションレジスタまたは前記ホーム加入者サーバーが前記第1のシグナリング追跡構成情報を格納することを含む、または
当該方法は、
前記第１のコアネットワークノードにより、前記ユーザー装置の前記コンテキストが前記第1のコアネットワークノード内に存在しないと判定することをさらに含み、
前記第１のコアネットワークノードにより、前記第1のシグナリング追跡構成情報を前記ユーザー装置の前記サービングコアネットワークノードに送信することは、前記第１のコアネットワークノードにより、前記第1のシグナリング追跡構成情報を前記サービングコアネットワークノードに送信して、前記サービングコアネットワークノードが前記第1のシグナリング追跡構成情報を格納することを含む、
請求項7に記載の方法。
【請求項９】
前記第１のコアネットワークノードにより、前記第1のシグナリング追跡構成情報を前記ユーザー装置の前記サービングコアネットワークノードに前記送信することは、
前記第１のコアネットワークノードにより、前記ホームロケーションレジスタまたは前記ホーム加入者サーバーから前記ユーザー装置のサービングコアネットワークノード識別子を取得することと、
前記第１のコアネットワークノードにより、前記サービングコアネットワークノード識別子に従って前記第1のシグナリング追跡構成情報を前記サービングコアネットワークノードに送信することと、
を含む請求項7または8に記載の方法。
【請求項１０】
前記サービングコアネットワークノードによって、前記第1のシグナリング追跡構成情報に従って前記第2のシグナリング追跡構成情報を前記サービング基地局に提供することは、
前記サービングコアネットワークノードによって、前記ユーザー装置がアクティブである場合に前記第1のシグナリング追跡構成情報に従って前記第2のシグナリング追跡構成情報を取得し、前記ユーザー装置へのS1接続を通じて前記サービング基地局に前記第2のシグナリング追跡構成情報を伝えるS1アプリケーションプロトコルメッセージを送信することと、
前記サービングコアネットワークノードによって、前記ユーザー装置がアイドル状態であるか、またはデタッチされている場合に、前記ユーザー装置によって送信されたアクティベーションメッセージを受信した後に前記第1のシグナリング追跡構成情報に従って前記第2のシグナリング追跡構成情報を取得し、前記ユーザー装置へのS1接続を通じて前記サービング基地局に前記第2のシグナリング追跡構成情報を伝える前記S1アプリケーションプロトコルメッセージを送信することと、
を含む請求項7に記載の方法。
【請求項１１】
前記第1のコアネットワークノードおよび前記サービングコアネットワークノードは、モビリティ管理エンティティ(MME)である、
請求項7、8または10に記載の方法。
【請求項１２】
前記第1のシグナリング追跡構成情報および前記第2のシグナリング追跡構成情報は、いずれも、シグナリング追跡を実行するための構成パラメータ、ドライブテストの最小化(MDT)を実行してデータを収集するための構成パラメータ、または、前記シグナリング追跡を実行するための構成パラメータならびにドライブテストの最小化を実行してデータを収集するための構成パラメータを含む、
請求項6、7、8または10に記載の方法。
【請求項１３】
運用管理保守(OAM)機器によって送信され、ユーザー装置識別子を伝え、前記ユーザー装置識別子に対応するユーザー装置に対するシグナリング追跡を開始するために使用される、第1のシグナリング追跡構成情報を受信するように構成された収集部と、
前記収集部によって受信された前記第1のシグナリング追跡構成情報を第1のコアネットワークノードに送信するように構成された送信部と、
前記ユーザー装置のサービングコアネットワークノードによって送信され、前記第1のコアネットワークノードによって提供される前記第1のシグナリング追跡構成情報に従って前記サービングコアネットワークノードによって取得される第2のシグナリング追跡構成情報を受信するように構成された受信部と、
前記受信部によって受信された前記第2のシグナリング追跡構成情報に従って前記ユーザー装置に対するシグナリング追跡を開始するように構成された開始部と
を備え、
前記第１のコアネットワークノードは、前記サービングコアネットワークノードとは異なることを特徴とする基地局。
【請求項１４】
前記送信部は、前記基地局と接続されている前記第1のコアネットワークノードに前記第1のシグナリング追跡構成情報を送信するように構成され、それにより、前記第1のコアネットワークノードは、前記第1のシグナリング追跡構成情報をホームロケーションレジスタ(HLR)またはホーム加入者サーバー(HSS)に転送することを特徴とする請求項13に記載の基地局。
【請求項１５】
前記送信部は、前記第1のシグナリング追跡構成情報を前記基地局と接続されている少なくとも1つの第1のコアネットワークノードに送信するように構成され、それにより、前記第1のシグナリング追跡構成情報を受信したコアネットワークノードは、前記シグナリング追跡構成情報を処理し、
前記処理は、前記第1のシグナリング追跡構成情報を受信した前記第1のコアネットワークノードによって、前記ユーザー装置のコンテキストが前記第1のシグナリング追跡構成情報を受信した前記第1のコアネットワークノード内に存在しない場合に前記シグナリング追跡構成情報をホームロケーションレジスタもしくはホーム加入者サーバーまたは前記ユーザー装置の前記サービングコアネットワークノードに転送することを含む、
請求項13に記載の基地局。
【請求項１６】
基地局によって送信され、ユーザー装置識別子を伝える第1のシグナリング追跡構成情報を受信するように構成された受信部と、
サービングコアネットワークノードが、前記第1のシグナリング追跡構成情報に従って第2のシグナリング追跡構成情報をサービング基地局に提供して、前記ユーザー装置識別子に対応するユーザー装置に対するシグナリング追跡を開始するように、前記受信部によって受信された第1のシグナリング追跡構成情報を前記サービングコアネットワークノードに提供するように構成された処理部と、
を備え、
第１のコアネットワークノードは、前記サービングコアネットワークノードとは異なり、
前記基地局は、前記サービング基地局とは異なるか、又は前記基地局と前記サービング基地局は同じ基地局であることを特徴とするコアネットワーク機器。
【請求項１７】
前記処理部は、
前記受信部によって受信された前記第1のシグナリング追跡構成情報を格納する動作、
前記サービングコアネットワークノードがホームロケーションレジスタ(HLR)またはホーム加入者サーバー(HSS)から前記第1のシグナリング追跡構成情報を取得するように、前記受信部によって受信された前記第1のシグナリング追跡構成情報を前記ホームロケーションレジスタまたは前記ホーム加入者サーバーに転送する動作、および
前記受信部によって受信された前記第1のシグナリング追跡構成情報を前記ユーザー装置の前記サービングコアネットワークノードに送信する動作
のうちの少なくとも1つを実行するように構成されている、
請求項16に記載のコアネットワーク機器。
【請求項１８】
判定部をさらに備え、
前記判定部は、前記ユーザー装置のコンテキストが前記コアネットワーク機器内に存在しないと判定するように構成され、かつ
前記処理部は、前記第1のシグナリング追跡構成情報を前記ホームロケーションレジスタまたは前記ホーム加入者サーバーに転送して前記ホームロケーションレジスタまたは前記ホーム加入者サーバーが前記第1のシグナリング追跡構成情報を格納するように構成されている、または
前記判定部は、前記ユーザー装置の前記コンテキストが前記コアネットワーク機器内に存在しないと判定するように構成され、かつ
前記処理部は、前記ホームロケーションレジスタまたは前記ホーム加入者サーバーから前記ユーザー装置のサービングコアネットワークノード識別子を取得し、前記サービングコアネットワークノード識別子に従って前記第1のシグナリング追跡構成情報を前記サービングコアネットワークノードに送信し、前記サービングコアネットワークノードが前記第1のシグナリング追跡構成情報を格納するように構成されている、
請求項17に記載のコアネットワーク機器。
【請求項１９】
サービングコアネットワークノードとして働く場合に前記第1のシグナリング追跡構成情報を取得するように構成された取得部と、
前記ユーザー装置がアクティブであるときに、前記第1のシグナリング追跡構成情報に従って前記第2のシグナリング追跡構成情報を取得し、前記ユーザー装置のS1接続を通じて前記サービング基地局に前記第2のシグナリング追跡構成情報を伝えるS1アプリケーションプロトコルメッセージを送信するように構成された第1の構成ユニットであって、それにより、前記サービング基地局は前記ユーザー装置に対する前記シグナリング追跡を開始する、第1の構成ユニットと、
前記サービング基地局が前記ユーザー装置に対する前記シグナリング追跡を開始するように、前記ユーザー装置がアイドル状態であるか、またはデタッチされているときに、前記ユーザー装置によって送信されたアクティベーションメッセージを受信した後に前記第1のシグナリング追跡構成情報に従って前記第2のシグナリング追跡構成情報を取得し、前記ユーザー装置に接続された前記S1接続部を通じて前記サービング基地局に前記第2のシグナリング追跡構成情報を伝える前記S1アプリケーションプロトコルメッセージを送信するように構成された第2の構成部と、
をさらに備える請求項16に記載のコアネットワーク機器。
【請求項２０】
前記コアネットワーク機器は、モビリティ管理エンティティ(MME)である、
請求項16から19のいずれか一項に記載のコアネットワーク機器。
【請求項２１】
請求項13から15のいずれか一項に記載の基地局および請求項16から20のいずれか一項に記載のコアネットワーク機器を備える通信システム。
【発明の詳細な説明】
【技術分野】
【０００１】
本出願は、参照によりその全体が本明細書に組み込まれている、2011年3月24日に中国特許庁に出願した中国特許出願第201110071996.1号、名称「SIGNALING TRACING METHOD, APPARATUS AND SYSTEM」の優先権を主張するものである。
【０００２】
本発明は、通信技術の分野に関し、詳細には、シグナリング追跡方法、装置、およびシステムに関する。
【背景技術】
【０００３】
ネットワーク内の障害および問題の評価および診断能力を高めるために、従来技術においてシグナリング追跡(Trace)技術が提唱された。すなわち、ネットワークエレメント管理システム(EMS:Equipment Management System)は、シグナリング追跡するためのパラメータ構成をネットワークエレメントノードに送信し、次いで、ネットワークエレメントノードによって返されるシグナリング追跡データを受信し、シグナリング追跡データを解析することによってネットワーク内の障害および問題を特定する。さらに、運用コストを低減し、ネットワークの自動化機能を強化するために、従来のシグナリング追跡方法に基づく別のシグナリング追跡ソリューションが提唱されている。このシグナリング追跡ソリューションでは、ユーザー装置(UE: User Equipment)は、ネットワーク最適化に必要なパラメータを自動的に報告するために使用される。例えば、ロングタームエボリューション(LTE: Long Term Evolution)プロジェクトでは、それは、ドライブテストの最小化(MDT: Minimization of Drive Test)と称される。このようなソリューションにおいて、ネットワーク問題が発生した場合、例えば、ユーザー装置がランダムアクセスチャネル(RACH: Random Access Channel)へのアクセスに失敗するか、またはカバレッジホール(coverage hole)に入るか、またはネットワーク容量問題に直面した場合に、ユーザー装置は、ユーザー装置がオンラインであるとオフラインであろうと関連するネットワークパラメータを自動的に記録し、ネットワークによって構成された報告サイクルに従ってネットワークパラメータをネットワーク機器(Network device)に報告する。したがって、ネットワーク機器は、ユーザー装置によって報告されたネットワークパラメータに従ってネットワーク機器の現在の問題を解析し、結果的にネットワーク最適化を奏することができる。
【０００４】
現在、シグナリング追跡構成モードは2つあり、1つは、管理ベースのシグナリング追跡構成モードであり、もう1つは、シグナリングベースのシグナリング追跡構成モードである。
【０００５】
既存のネットワークアーキテクチャでは、アクセスネットワークおよびコアネットワークがさまざまな運用管理保守(OAM: Operation Administration and Maintenance)機器によって管理され得るシナリオが存在する。図1aに示されているように、このようなシナリオでは、アクセスネットワークのOAM機器は、特定のユーザーに対してシグナリングベースのシグナリング追跡構成モードを開始することができず、管理ベースのシグナリング追跡構成モードしか開始できない。
【発明の概要】
【課題を解決するための手段】
【０００６】
本発明の実施形態は、アクセスネットワークのOAM機器が特定のユーザーに対して管理ベースのシグナリング追跡構成モードとシグナリングベースのシグナリング追跡構成モードの両方を開始できるようにするための、シグナリング追跡の方法、装置、およびシステムを提供する。
【０００７】
本発明の一態様は、シグナリング追跡の方法を提供し、この方法は、OAM機器によって送信され、ユーザー装置識別子を伝え、前記ユーザー装置識別子に対応するユーザー装置に対するシグナリング追跡を開始するために使用される第1のシグナリング追跡構成情報を受信することと、前記第1のシグナリング追跡構成情報を第１のコアネットワークノードに送信することと、前記第1のコアネットワークノードによって提供される前記第1のシグナリング追跡構成情報に従って前記サービングコアネットワークノードによって取得される第2のシグナリング追跡構成情報を受信することと、前記サービングコアネットワークノードによって送信された前記第2のシグナリング追跡構成情報に従って前記ユーザー装置に対するシグナリング追跡を開始することと、を含む。
【０００８】
本発明の別の態様は、シグナリング追跡の方法を提供し、この方法は、基地局によって送信され、ユーザー装置識別子を伝える第1のシグナリング追跡構成情報を受信することと、前記第1のシグナリング追跡構成情報をサービングコアネットワークノードに提供することを含み、それにより、前記サービングコアネットワークノードは、前記第1のシグナリング追跡構成情報に従って第2のシグナリング追跡構成情報をサービング基地局に提供し、前記第2のシグナリング追跡構成情報が、前記ユーザー装置識別子に対応するユーザー装置に対するシグナリング追跡を開始するために使用される。
【０００９】
本発明の別の態様は、基地局を提供し、この基地局は、OAM機器によって送信され、ユーザー装置識別子を伝え、前記ユーザー装置識別子に対応するユーザー装置に対するシグナリング追跡を開始するために使用される第1のシグナリング追跡構成情報を受信するように構成された収集部と、前記収集部によって受信された前記第1のシグナリング追跡構成情報を第1のコアネットワークノードに送信するように構成された送信部と、前記ユーザー装置のサービングコアネットワークノードによって送信され、前記第1のコアネットワークノードによって提供される前記第1のシグナリング追跡構成情報に従って前記サービングコアネットワークノードによって取得される第2のシグナリング追跡構成情報を受信するように構成された受信部と、前記受信部によって受信された前記第2のシグナリング追跡構成情報に従って前記ユーザー装置に対するシグナリング追跡を開始するように構成された開始部とを含む。
【００１０】
本発明の別の態様は、コアネットワーク機器を提供し、このコアネットワーク機器は、基地局によって送信され、ユーザー装置識別子を伝える第1のシグナリング追跡構成情報を受信するように構成された受信部と、サービングコアネットワークノードが、前記第1のシグナリング追跡構成情報に従って第2のシグナリング追跡構成情報をサービング基地局に提供して、前記ユーザー装置識別子に対応するユーザー装置に対するシグナリング追跡を開始するように、前記受信部によって受信された第1のシグナリング追跡構成情報を前記サービングコアネットワークノードに提供するように構成された処理部と、を含む。
【００１１】
本発明の別の態様は、本発明の実施形態において提供される任意の基地局および任意のコアネットワーク機器を含む、通信システムを提供する。
【００１２】
本発明の実施形態において、OAM機器によって送信されるシグナリング追跡構成情報は、指定されたユーザー装置識別子を伝え、したがって、アクセスネットワークおよびコアネットワークが異なるOAM機器によって管理されるシナリオであっても、コアネットワークノードは、アクセスネットワークのOAM機器によって指定されたユーザー装置識別子を収集することもでき、それにより、アクセスネットワークのOAM機器は、シグナリングベースのシグナリング追跡構成を開始することもでき、サービング基地局は、ユーザー装置に対するシグナリング追跡を開始することができる。
【００１３】
本発明の実施形態または従来技術における技術的解決策をより明確に説明するために、以下において、実施形態または従来技術の説明に必要な添付図面を簡単に紹介する。明らかに、以下の説明の添付図面は、本発明のいくつかの実施形態を示しているにすぎず、当業者であれば、創造的労力を費やすことなく添付図面から他の図面を導き出すことができる。
【図面の簡単な説明】
【００１４】
【図１ａ】アクセスネットワークおよびコアネットワークが異なるOAM機器によって管理されるというシナリオの概略図である。
【図１ｂ】MDT構成モードの概略シナリオ図である。
【図１ｃ】本発明の実施形態1によるシグナリング追跡の方法の流れ図である。
【図２】本発明の実施形態2によるシグナリング追跡の方法の流れ図である。
【図３】本発明の実施形態3によるシグナリング追跡の方法の流れ図である。
【図４】本発明の実施形態4によるシグナリング追跡の方法の流れ図である。
【図５】本発明の実施形態5によるシグナリング追跡の方法の流れ図である。
【図６】本発明の一実施形態による基地局の概略構造図である。
【図７ａ】本発明の一実施形態によるコアネットワーク機器の一概略構造図である。
【図７ｂ】本発明の一実施形態によるコアネットワーク機器の別の概略構造図である。
【発明を実施するための形態】
【００１５】
以下では、本発明の実施形態の添付図面を参照しつつ本発明の実施形態の技術的解決策について明確に、また包括的に説明する。明らかに、説明されている実施形態は、本発明のすべての実施形態ではなくむしろその一部にすぎない。創造的労力を費やすことなく本発明の実施形態に基づいて当業者が得る他のすべての実施形態は、本発明の保護の範囲内に収まるものとする。
【００１６】
本発明の実施形態は、以下で詳述されているように、シグナリング追跡の方法、装置、およびシステムを提供する。
【００１７】
図1bを参照すると、これは2つのシグナリング達追跡構成モード(管理ベースのシグナリング追跡構成モードとシグナリングベースのシグナリング追跡構成モード)のシナリオ図であり、ここでは、実線部分は管理ベースのシグナリング追跡構成モードを示し、点線部分はシグナリングベースのシグナリング追跡構成モードを示しており、これらについて以下で詳述する。
【００１８】
管理ベースのシグナリング追跡構成モードでは、ネットワーク管理システム(NMS: Network Management System)またはネットワークエレメント管理システム(EMS: Equipment Management System)などのOAM機器は、シグナリング追跡構成情報を進化型NodeB(eNB: evolved NodeB)に直接的に割り当てることができる。このような構成モードでは、OAM機器は、シグナリング追跡に加わるように特定のユーザー装置を指定することはできないが、進化型NodeBがユーザー装置をランダムに選択する。
【００１９】
しかし、シグナリングベースのシグナリング追跡モードでは、OAM機器は、シグナリング追跡構成情報をホーム加入者サーバー(HSS: Home Subscriber Server)またはモビリティ管理エンティティ(MME: Mobility Management Entity)などのコアネットワークノードに割り当てることができ、次いで、コアネットワークノードが構成情報を進化型NodeBに割り当てる。このような構成モードでは、OAM機器は、ユーザー装置識別子を使用して、シグナリング追跡に加わるようにユーザー装置を指定することができる。
【００２０】
（実施形態1）
この実施形態は、基地局の観点から説明される。特に、基地局は、進化型NodeBであるものとしてもよい。
【００２１】
シグナリング追跡の方法は、OAM機器によって送信されるユーザー装置識別子を伝える第1のシグナリング追跡構成情報を受信し、第1のシグナリング追跡構成情報を第1のコアネットワークノードに送信することと、サービングコアネットワークノードによって送信される第2のシグナリング追跡構成情報を受信することと、サービングコアネットワークノードによって送信される第2のシグナリング追跡構成情報に従ってユーザー装置に対するシグナリング追跡を開始することとを含む。
【００２２】
図1cに示されているように、詳しい方法は以下に示す通りとすることができる。
【００２３】
ステップ101:  OAM機器によって送信される第1のシグナリング追跡構成情報を受信する。ここで、第1のシグナリング追跡構成情報は、指定すべき(すなわち、シグナリング追跡を実行することが必要な)ユーザー装置のユーザー装置識別子を伝える。例えば、ユーザー装置識別子は、国際移動電話加入者識別番号(IMSI: International Mobile Subscriber Identity)または国際移動体装置識別番号(IMEI: International Mobile Equipment Identity)などである。
【００２４】
第1のシグナリング追跡構成情報は、1台のユーザー装置を指定することができ、また複数のユーザー装置を指定することもできる、すなわち、指定すべき伝えられる識別子は、1つの識別子であってもよく、またIMSIまたはIMEIのリストなどの複数のユーザー装置を含むリストとすることもできる。
【００２５】
第1のシグナリング追跡構成情報は、ユーザー装置識別子に対応するユーザー装置に対するシグナリング追跡を開始するために使用され、第1のシグナリング追跡構成情報は、シグナリング追跡を実行するための構成パラメータ、MDTを実行してデータを収集するための構成パラメータ、または、そのいずれも含むものとしてもよい。
【００２６】
ステップ102:  受信した第1のシグナリング追跡構成情報を第1のコアネットワークノードに送信する。特に、第1のシグナリング追跡構成情報は、基地局それ自体と接続されている第1のすべてのコアネットワークノードに送信することができ、また基地局と接続されているすべての第1のコアネットワークノードのうちの1つにも送信することができる。例えば、以下のモードのうちのいずれかが適用され得る。
【００２７】
(1)基地局は、第1のシグナリング追跡構成情報を基地局それ自体と接続されている第1のコアネットワークノードに送信し、それにより、第1のコアネットワークノードは、その第1のシグナリング追跡構成情報を格納し、そのシグナリング追跡構成情報をホームロケーションレジスタ(HLR: Home Location Register)もしくはHSSに転送し、または、その第1のシグナリング追跡構成情報を格納し、かつ、そのシグナリング追跡構成情報をHLRもしくはHSSに転送する。
【００２８】
すなわち、第1のシグナリング追跡構成情報を受信した後に、第1のコアネットワークノードは、第1のシグナリング追跡構成情報を直接的に格納することができ、また第1のシグナリング追跡構成情報をHLRまたはHSSに直接的に転送することもできる。あるいは、第1のコアネットワークノードは、第1のシグナリング追跡構成情報を前処理し、その後、HLRまたはHSSに転送するかどうかを決めることもできる。例えば、第1のコアネットワークノードは、指定すべきユーザー装置のコンテキストが第1のコアネットワークノード内に存在するかどうかを判定することができ、そのコンテキストが存在する場合に、第1のコアネットワークノードがユーザー装置のサービングコアネットワークノードであることを示し、それにより、コアネットワークノードは、第1のシグナリング追跡構成情報を格納する。そのコンテキストが存在しない場合、コアネットワークノードがユーザー装置のサービングコアネットワークノードでないことを示し、それにより、コアネットワークノードは、第1のシグナリング追跡構成情報をHSSまたはHLRに転送する。
【００２９】
(2)基地局は、第1のシグナリング追跡構成情報を基地局それ自体と接続されている少なくとも1つの第1のコアネットワークノードに送信し、それにより、第1のシグナリング追跡構成情報を受信した第1のコアネットワークノードは、シグナリング追跡構成情報を処理し、ここで、この処理は以下を含む。
【００３０】
指定すべきユーザー装置のコンテキストが第1のシグナリング追跡構成情報を受信した第1のコアネットワークノード内に存在する場合、第1のシグナリング追跡構成情報を受信した第1のコアネットワークノードは、第1のシグナリング追跡構成情報を格納するか、または、指定すべきユーザー装置のコンテキストが第1のシグナリング追跡構成情報を受信した第1のコアネットワークノード内に存在しない場合、第1のシグナリング追跡構成情報を受信した第1のコアネットワークノードは、第1のシグナリング追跡構成情報をHSSもしくはHLRまたはサービングコアネットワークノードに転送して格納する。
【００３１】
第1のシグナリング追跡構成情報は、ランダムに選択された基地局との専用の接続を有する少なくとも1つの第1のコアネットワークノードに送信されるので、第1のシグナリング追跡構成情報を受信した第1のコアネットワークノードは、必ずしも指定すべきユーザー装置のサービングコアネットワークノードとは限らない。したがって、サービングコアネットワークノードも第1のシグナリング追跡構成情報を必ず取得できるようにするために、第1のシグナリング追跡構成情報を受信した第1のコアネットワークノードは、コアネットワークノードそれ自体がサービングコアネットワークノードであるかどうかを判定する必要がある。例えば、第1のコアネットワークノードは、指定すべきユーザー装置のコンテキストが第1のコアネットワークノード内に存在するかどうかを判断することができる。そのコンテキストが存在する場合に、第1のコアネットワークノードがユーザー装置のサービングコアネットワークノードであることを示し、それにより、第1のコアネットワークノードは、第1のシグナリング追跡構成情報を後で使用できるように格納する。逆に、ある実施形態では、そのコンテキストが存在しない場合、第1のコアネットワークノードがユーザー装置のサービングコアネットワークノードでないことを示し、それにより、コアネットワークノードは、第1のシグナリング追跡構成情報をHSSもしくはHLRまたはサービングコアネットワークノードに転送して格納させ、ユーザー装置のサービングコアネットワークノードは、その後、第1のシグナリング追跡構成情報を利用することができる。
【００３２】
特に、第1のコアネットワークノードは、MMEであってもよい。基地局それ自体と接続されている第1のコアネットワークノードは、S1接続インターフェースなどの、基地局それ自体との専用接続インターフェースを有する第1のコアネットワークノードを指す。
【００３３】
ステップ103:  サービングコアネットワークノードによって送信される第2のシグナリング追跡構成情報を受信する。ここで、第2のシグナリング追跡構成情報は、第1のコアネットワークノードによって提供される第1のシグナリング追跡構成情報に従ってサービングコアネットワークノードによって取得される。
【００３４】
第2のシグナリング追跡構成情報は、ユーザー装置に対するシグナリング追跡を開始するためにサービング基地局に提供される。第2のシグナリング追跡構成情報は、シグナリング追跡を実行するための構成パラメータ、MDTを実行してデータを収集するための構成パラメータ、または、そのいずれも含むものとしてもよい。第2のシグナリング追跡構成情報は、従来技術のシグナリング追跡構成情報と同じであり、第2のシグナリング追跡構成情報は、第1のシグナリング追跡構成情報と、第1のシグナリング追跡構成情報はユーザー装置識別子を伝える一方で、第2のシグナリング追跡構成情報はユーザー装置識別子を伝える場合とユーザー装置識別子を伝えない場合とがあるという点で異なることに留意されたい。
【００３５】
第1のコアネットワークノードおよびサービングコアネットワークノードは、同じコアネットワークノードであっても、また異なるコアネットワークノードであってもよい。
【００３６】
サービングコアネットワークノードは、ユーザー装置識別子に従って第1のシグナリング追跡構成情報を取得することができる。例えば、ステップ103において、基地局によって送信されたシグナリング追跡構成情報を受信した第1のコアネットワークノードがサービングコアネットワークノードである場合、サービングコアネットワークノードは、直接的にユーザー装置識別子に従って格納されている第1のシグナリング追跡構成情報から対応する第1のシグナリング追跡構成情報を取得し、次いで、取得された第1のシグナリング追跡構成情報に従って第2のシグナリング追跡構成情報を取得することができ、ステップ103において、基地局によって送信された第1のシグナリング追跡構成情報を受信したコアネットワークノードがサービングコアネットワークノードでない場合、また、第1のコアネットワークノードが、第1のシグナリング追跡構成情報をHSSまたはHLRに送信してしまっている場合、サービングコアネットワークノードは、ユーザー装置識別子に従ってHSSまたはHLRから第1のシグナリング追跡構成情報を取得し、次いで、取得された第1のシグナリング追跡構成情報に従って第2のシグナリング追跡構成情報を取得することができる。ステップ103において、基地局によって送信された第1のシグナリング追跡構成情報を受信した第1のコアネットワークノードがサービングコアネットワークノードでない場合、また、第1のコアネットワークノードが、シグナリング追跡構成情報をサービングコアネットワークノードに送信してしまっている場合、サービングコアネットワークノードは、直接的にユーザー装置識別子に従ってローカルに格納されている第1のシグナリング追跡構成情報からシグナリング追跡構成情報を取得することなどができる。特に、サービングコアネットワークノードは、MMEであってもよい。
【００３７】
ユーザー装置がアクティブ(Active)である場合、ユーザー装置のサービング基地局は、ステップ103を直接的に実行すること(すなわち、サービングコアネットワークノードによって送信された第2のシグナリング追跡構成情報を受信すること)ができる。そうでなければ、ユーザー装置がアクティブでない。例えば、ユーザー装置がアイドル(IDLE)状態であるか、またはデタッチされている(DETACH)場合、第1のシグナリング追跡構成情報で伝えられるユーザー装置識別子に対応するユーザー装置がネットワークにアクセスするときにユーザー装置のサービング基地局はステップ103を実行すること(すなわち、サービングコアネットワークノードによって送信された第2のシグナリング追跡構成情報を受信すること)に留意されたい。
【００３８】
ステップ104:  サービングコアネットワークノードによって送信される第2のシグナリング追跡構成情報に従ってユーザー装置に対するシグナリング追跡を開始する。
【００３９】
前述の説明において明らかにされているように、この実施形態では、OAM機器によってコアネットワークノードに送信された第1のシグナリング追跡構成情報は、ユーザー装置識別子を伝え、したがって、アクセスネットワークおよびコアネットワークが異なるOAM機器によって管理されるシナリオであっても、コアネットワークノードは、アクセスネットワークのOAM機器によって指定されたユーザー装置識別子を取得することもでき、それによって、アクセスネットワークのOAM機器は、シグナリングベースのシグナリング追跡構成を開始することもでき、複数のシグナリング追跡構成モードが、選択のためにオペレータに与えられる。
【００４０】
（実施形態2）
この実施形態は、第1のコアネットワーク機器の観点から説明されており、特に、第1のコアネットワーク機器は、MMEなどのモビリティ管理要素であってもよい。
【００４１】
シグナリング追跡の方法は、基地局によって送信されるユーザー装置識別子を伝える第1のシグナリング追跡構成情報を受信することと、第1のシグナリング追跡構成情報をサービングコアネットワークノードに提供し、それによりサービングコアネットワークノードは第1のシグナリング追跡構成情報に従って第2のシグナリング追跡構成情報をサービング基地局に提供し、ユーザー装置識別子に対応するユーザー装置に対するシグナリング追跡を開始することとを含む。
【００４２】
図2に示されているように、詳しい方法は以下に示す通りとすることができる。
【００４３】
ステップ201:  基地局によって送信される第1のシグナリング追跡構成情報を受信する。ここで、第1のシグナリング追跡構成情報は、指定すべき(すなわち、シグナリング追跡を実行することが必要な)ユーザー装置のユーザー装置識別子を伝える。例えば、ユーザー装置識別子は、IMSIまたはIMEIである。
【００４４】
少なくとも1つのユーザー装置識別子が伝えられる、すなわち、この伝えられるユーザー装置識別子は、1つのユーザー装置識別子であってもよく、またIMSIまたはIMEIのリストなどのユーザー装置識別子のリストであってもよい。
【００４５】
第1のシグナリング追跡構成情報は、シグナリング追跡を実行するための構成パラメータ、MDTを実行してデータを収集するための構成パラメータ、または、そのいずれも含むものとしてもよい。
【００４６】
ステップ202:  第1のシグナリング追跡構成情報をサービングコアネットワークノードに提供し、それにより、サービングコアネットワークノードは第1のシグナリング追跡構成情報に従って第2のシグナリング追跡構成情報をサービング基地局に提供し、ユーザー装置識別子に対応するユーザー装置に対するシグナリング追跡を開始する。例えば、第1のシグナリング追跡構成情報を受信した後に、第1のシグナリング追跡構成情報を格納する動作、サービングコアネットワークノードがHLRまたはHSSから第1のシグナリング追跡構成情報を取得するように第1のシグナリング追跡構成情報をHLRまたはHSSに転送する動作、第1のシグナリング追跡構成情報をユーザー装置のサービングコアネットワークノードに転送する動作のうちの少なくとも1つを実行することができる。例えば、詳細な動作は以下の通りとすることができる。
【００４７】
ステップ201において、基地局との専用接続を有する第1のコアネットワークノードが第1のシグナリング追跡構成情報を受信する(すなわち、サービングコアネットワークノードもこのときに第1のシグナリング追跡構成情報を受信することができる)場合、第1のコアネットワークノードは、第1のシグナリング追跡構成情報を直接的に格納することができ、また、第1のシグナリング追跡構成情報をHLRまたはHSSに直接的に転送することもでき、また、第1のシグナリング追跡構成情報も格納し、次いでシグナリング追跡構成情報をHLRまたはHSSに送信することもできる。
【００４８】
ステップ201において、基地局との専用接続を有するすべての第1のコアネットワークノードが第1のシグナリング追跡構成情報を受信するわけではない(すなわち、基地局が基地局によってランダムに選択された1つの第1のコアネットワークに第1のシグナリング追跡構成情報を送信する)場合、サービングコアネットワークノードが第1のシグナリング追跡構成情報も取得できるようにするため、シグナリング追跡構成情報を受信した第1のコアネットワークノードは、第1のシグナリング追跡構成情報をHLRもしくはHSSに転送するか、または第1のシグナリング追跡構成情報をサービングコアネットワークノードに送信することを必要とする。
【００４９】
特に、第1のシグナリング追跡構成情報をサービングコアネットワークノードに送信することは、HSSまたはHLRからユーザー装置のサービングコアネットワークノード識別子を取得し、取得されたサービングコアネットワークノード識別子に従って第1のシグナリング追跡構成情報をサービングコアネットワークノードに送信することとすることであってもよい。
【００５０】
適宜、送信する前に、第1のシグナリング追跡構成情報を受信した第1のコアネットワークノードは、第1のコアネットワークノードそれ自体がサービングコアネットワークノードであるかどうかを判断することができ、第1のコアネットワークノードがサービングコアネットワークノードである場合に、転送は実行され得ない。すなわち、この方法は、ユーザー装置のコンテキストが第1のコアネットワークノード内に存在するかどうかを判定すること、をさらに含むことができる。
【００５１】
この場合、特に、第1のシグナリング追跡構成情報を格納することは、ユーザー装置のコンテキストが第1のコアネットワークノード内に存在すると判定された場合に第1のシグナリング追跡構成情報を格納することを含むことができる。
【００５２】
特に、第1のシグナリング追跡構成情報をHLRまたはHSSに転送することは、ユーザー装置のコンテキストが第1のコアネットワークノード内に存在しないと判定された場合に、第1のシグナリング追跡構成情報をHSSまたはHLRに転送してHSS/HLRが第1のシグナリング追跡構成情報を格納するようにすることを含むことができる。
【００５３】
特に、第1のシグナリング追跡構成情報をサービングコアネットワークノードに転送することは、ユーザー装置のコンテキストが第1のコアネットワークノード内に存在しないと判定された場合に、第1のシグナリング追跡構成情報をサービングコアネットワークに転送することとしてもよい。例えば、第1のコアネットワークノードは、HSSまたはHLRからユーザー装置のサービングコアネットワークノード識別子を取得し、取得されたサービングコアネットワークノード識別子に従って第1のシグナリング追跡構成情報をサービングコアネットワークノードに送信し、サービングコアネットワークノードが第1のシグナリング追跡構成情報を格納するようにすることができる。
【００５４】
このようにして、ユーザー装置識別子に対応するユーザー装置がネットワークにアクセスするときに、第1のシグナリング追跡構成情報を格納する機器は、第1のシグナリング追跡構成情報をサービング基地局に提供することができ、したがって、サービング基地局はユーザー装置に対するシグナリング追跡を開始する。例えば、この方法は以下の通りとすることができる。
【００５５】
ユーザー装置識別子に対応するユーザー装置がネットワークにアクセスするときに、ユーザー装置それ自体のサービングコアネットワークノードが対応する第1のシグナリング追跡構成情報を格納する場合、サービングコアネットワークノードは、直接的に第1の信シグナリング追跡構成情報に従って第2のシグナリング追跡構成情報をサービング基地局に送信する。サービングコアネットワークノードそれ自体が対応する第1のシグナリング追跡構成情報を格納しない場合、サービングコアネットワークノードは、HSSまたはHLRから第1のシグナリング追跡構成情報を取得し、次いで、取得された第1のシグナリング追跡構成情報に従って第2のシグナリング追跡構成情報をサービング基地局に送信することができる。第2のシグナリング追跡構成情報は、第1のシグナリング追跡構成情報から抽出され、特に、第2のシグナリング追跡構成情報をサービング基地局に送信するための方法は、以下の通りとすることができる。
【００５６】
ユーザー装置がアクティブであるときに、サービングコアネットワークノードは、ユーザー装置のS1接続を通じて基地局に第2のシグナリング追跡構成情報を伝えるS1アプリケーションプロトコルメッセージを送信し、したがって、基地局は、ユーザー装置に対するシグナリング追跡を開始する。
【００５７】
ユーザー装置がアイドル(IDE)状態であるか、またはデタッチされている(DETACH)ときに、ユーザー装置によって送信されたアクティベーションメッセージが届いた後、サービングコアネットワークノードは、ユーザー装置のS1接続を通じて基地局に第2のシグナリング追跡構成情報を伝えるS1アプリケーションプロトコル(S1AP:S1 Application Protocol)メッセージを送信し、それにより、基地局はユーザー装置に対するシグナリング追跡を開始する。
【００５８】
特に、アクティベーションメッセージは、ネットワークアクセスサービス要求(Service Request)メッセージまたはネットワークアクセスアタッチ(ATTACH)メッセージとしてもよい。特に、コアネットワークノードは、MMEであってもよい。
【００５９】
前述の説明において明らかにしたように、この実施形態では、OAM機器によって送信される第1のシグナリング追跡構成情報は、指定されるべきユーザー装置識別子を伝え、したがって、アクセスネットワークおよびコアネットワークが異なるOAM機器によって管理されるシナリオであっても、コアネットワークノードは、アクセスネットワークのOAM機器によって指定されるべきユーザー装置識別子を収集することもでき、それによって、アクセスネットワークのOAM機器は、シグナリングベースのシグナリング追跡構成を開始することもでき、複数のシグナリング追跡構成モードが、選択のためにオペレータに与えられる。
【００６０】
（実施形態3）
前述の実施形態で説明されている方法により、以下では例を用いて実施形態3から実施形態5のさらに詳しい説明を行う。説明を簡単にするため、以下の実施形態では、第1のコアネットワークノードとサービングコアネットワークノードはMMEであること、また基地局は進化型NodeBであることを仮定する。当然のことながら、このような方法は、MMEに類似する機能を有するコアネットワークの他のネットワーク機器にも適用可能である。
【００６１】
この実施形態では、進化型NodeBは、シグナリング追跡構成情報を進化型NodeBと接続されているすべてのMMEに送信し、第1のシグナリング追跡構成情報および第2のシグナリング追跡構成情報は、MDTを実行してデータを収集するための構成パラメータであることが仮定される。
【００６２】
図3に示されているように、詳しい方法は以下に示す通りとすることができる。
【００６３】
説明を簡単にするため、図3において、MDTデータ収集を実行するための構成パラメータを単に構成パラメータと呼ぶ。
【００６４】
ステップ301:  アクセスネットワークのOAM機器がMDTに参加する特定のユーザー装置を指定する必要がある場合、アクセスネットワークのOAM機器は、MDTを実行してデータを収集するための構成パラメータを進化型NodeBに送信することができる。ここで、MDTを実行してデータを収集するための構成パラメータは、IMSIまたはIMEIなどの、指定すべきユーザー装置識別子を伝える。
【００６５】
指定されたユーザー装置は、1つまたは複数のユーザー装置であってもよいことに留意されたい。すなわち、伝えられるユーザー装置識別子は、1つのユーザー装置識別子であってもよく、またIMSIもしくはIMEIのリストなどの、ユーザー装置識別子のリストであってもよい。
【００６６】
ステップ302:  MDTを実行してデータを収集するための構成パラメータを受信した後、進化型NodeBは、MDTを実行してデータを収集するための構成パラメータを、S1アプリケーションプロトコルメッセージを通じて進化型NodeBへのS1接続を有するすべてのMMEに送信する。
【００６７】
ステップ303:  eNBによって転送されたMDTを実行してデータを収集するための構成パラメータを受信した後、MMEは、MDTを実行してデータを収集するための構成パラメータを格納するか、またはMDTを実行してデータを収集するための構成パラメータをMMEと接続されているHSSに転送するか、またはMDTを実行してデータを収集するための構成パラメータを格納して、次いでMDTを実行してデータを収集するための構成パラメータをMMEと接続されているHSSに転送する。
【００６８】
ステップ304:  MMEがMDTを実行してデータを収集するための構成パラメータをHSSに転送する場合、HSSは、MDTを実行してデータを収集するための構成パラメータを格納し、次いで、ユーザー装置によってネットワークがアクセスされるときに、従来技術で与えられるシグナリングベースのMDT構成モードに従ってMDTを実行して収集するための構成パラメータを指定されたユーザー装置に割り当てる。例えば、詳細な動作は以下の通りとすることができる。
【００６９】
ユーザー装置がネットワークにアクセスするときに、ユーザー装置は、アタッチ要求をネットワークに送信し、HSS内のそれ自体の(すなわち、ユーザー装置の)位置情報を更新する。HSSは、ユーザー装置識別子に従ってユーザー装置が追跡される必要があるかどうかを確認する。すなわち、HSSは、ユーザー装置識別子が指定すべき格納されているユーザー装置識別子と一致しているかどうかを判定し、追跡が必要でない場合には、方法は終了し、追跡が必要な場合には、HSSは、MDTを実行してデータを収集するための構成パラメータをユーザー装置のサービングMMEに送信し、例えば、HSSは、位置更新応答メッセージでMDTを実行してデータを収集するための構成パラメータを伝えることによってMDTを実行してデータを収集するための構成パラメータをユーザー装置のサービングMMEに送信することができ、サービングMMEは、MDTを実行してデータを収集するための構成パラメータをユーザー装置のS1接続経路を通じてサービング進化型NodeBに送信する。ステップ305で説明されているように、サービング進化型NodeBは、MDTを実行してデータを収集するための構成パラメータをユーザー装置のS1接続経路を通じてユーザー装置に割り当て、ドライブテストデータ測定を実行するようにユーザー装置に指令する。
【００７０】
シグナリングベースのMDT構成モードの処理については、従来技術を参照することができ、ここではこれ以上詳述しない。
【００７１】
ステップ305:  MMEがMDTを実行してデータを収集するための構成パラメータをHSSに転送しない場合、MMEは、ユーザー装置がネットワークにアクセスするときに以下の動作を直接的に実行することができる。
【００７２】
(1)アクティブなユーザー装置の場合:
【００７３】
MMEは、従来技術で与えられるシグナリングベースのMDT構成モードに従ってMDTを実行してデータを収集するための構成パラメータを指定されたユーザー装置に割り当てる。例えば、以下の動作を実行することができる。
【００７４】
MMEそれ自体が、指定すべきユーザーのサービングMMEであると判定した場合に、MMEは、ユーザーのS1接続を通じてTrace Start(追跡開始)メッセージなどのS1アプリケーションプロトコルメッセージをサービング進化型NodeBに送信し、S1アプリケーションプロトコルメッセージは、MDTを実行してデータを収集するための構成パラメータを伝える。
【００７５】
MDTを実行してデータを収集するための構成パラメータを受信した後、サービング進化型NodeBは、MDTを実行してデータを収集するための構成パラメータをユーザー装置のS1接続を通じてユーザー装置に割り当て、ドライブテストデータ測定を実行するようにユーザー装置に指令する。
【００７６】
この場合、MMEによってサービング進化型NodeBに送信される「MDTを実行してデータを収集するための構成パラメータ」は、ユーザー装置識別子を伝えることはできず、サービング進化型NodeBは、他の手段によって現在追跡されるべきユーザー装置を識別することができることに留意されたい。例えば、ユーザー装置識別子に対応するユーザー装置がネットワークにアクセスするときに、サービング進化型NodeBは、進化型NodeB S1アプリケーションプロトコルメッセージ識別子(eNB S1-AP ID)をユーザー装置に割り当て、eNB S1-AP IDをユーザー装置のサービングMMEにS1アプリケーションプロトコルメッセージで通知し、したがって、サービングMMEは、MMEアプリケーションプロトコルメッセージ識別子(MME S1-AP ID)をユーザー装置に割り当て、MME S1-AP IDをサービング進化型NodeBにダウンリンクS1アプリケーションプロトコルメッセージで通知する。このようにして、サービングMMEが、その後、メッセージをサービング進化型NodeBに送信するときに、eNB S1-AP IDは、このメッセージで伝えることができ、したがって、サービング進化型NodeBは、どのユーザー装置に対してシグナリング追跡を実行するかを知る。
【００７７】
(2)アイドル状態(IDLE)のユーザー装置の場合:
【００７８】
ユーザー装置が、Service Request(ネットワークアクセスサービス要求)メッセージをMMEに送信すると、MMEは、起動され(activated)、このときに、アクティブなMMEは、従来技術で与えられるシグナリングベースのMDT構成モードに従ってMDTを実行してデータを収集するための構成パラメータを指定されたユーザー装置に割り当てる。例えば、以下の動作を実行することができる。
【００７９】
アクティブなMMEは、MDTを実行してデータを収集するための構成パラメータを、ユーザー装置をカバーする進化型NodeB、すなわち、サービング進化型NodeBに送信する。
【００８０】
MDTを実行してデータを収集するための構成パラメータを受信した後、サービング進化型NodeBは、MDTを実行してデータを収集するための構成パラメータをユーザー装置のS1接続を通じてユーザー装置に割り当て、ドライブテストデータ測定を実行するようにユーザー装置に指令する。
【００８１】
この場合、MMEによってサービング進化型NodeBに送信される「MDTを実行してデータを収集するための構成パラメータ」は、ユーザー装置識別子を伝えることはできず、サービング進化型NodeBは、他の手段によって現在追跡されるべきユーザー装置を識別することができることに留意されたい。この実施形態におけるセクション(1)の説明を参照のこと。
【００８２】
(3)デタッチされた(DETACH)ユーザー装置の場合:
【００８３】
ユーザー装置が、ATTACH(ネットワークアクセスアタッチ)メッセージをMMEに送信すると、MMEは、起動され、このときに、アクティブなMMEは、従来技術で与えられるシグナリングベースのMDT構成モードに従ってMDTを実行してデータを収集するための構成パラメータを指定されたユーザー装置に割り当てる。例えば、以下の動作を実行することができる。
【００８４】
アクティブなMMEは、MDTを実行してデータを収集するための構成パラメータを、ユーザー装置をカバーする進化型NodeB、すなわち、サービング進化型NodeBに送信する。
【００８５】
MDTを実行してデータを収集するための構成パラメータを受信した後、サービング進化型NodeBは、MDTを実行してデータを収集するための構成パラメータをユーザー装置のS1接続を通じてユーザー装置に割り当て、ドライブテストデータ測定を実行するようにユーザー装置に指令する。
【００８６】
その後、ユーザー装置は、ドライブテストデータ構成完了メッセージをサービング進化型NodeBに送信することができ、ドライブテストデータをサービング進化型NodeBに報告する。サービング進化型NodeBは、ドライブテストデータを、解析、評価、または診断のためデータ収集エンティティに送信する。
【００８７】
この場合、MMEによってサービング進化型NodeBに送信される「MDTを実行してデータを収集するための構成パラメータ」は、ユーザー装置識別子を伝えることはできず、サービング進化型NodeBは、他の手段によって現在追跡されるべきユーザー装置を識別することができることに留意されたい。この実施形態におけるセクション(1)の説明を参照のこと。
【００８８】
それに加えて、説明を容易にするため、この実施形態では、MDTを実行してデータを収集するための構成パラメータをMMEに送信する進化型NodeBは、サービング進化型NodeB(すなわち、同じ進化型NodeB)であると仮定されている。当然のことながら、MDTを実行してデータを収集するための構成パラメータをMMEに送信する進化型NodeBは、サービング進化型NodeBと異なる進化型NodeBであってもよい。
【００８９】
それに加えて、MDTは、この実施形態では単に一例とみなされ、この方法は、従来のTrace(すなわち、シグナリング追跡)ソリューションにも適用可能であり、この場合、特に、シグナリング追跡構成情報は、シグナリング追跡を実行するための構成パラメータであると理解できることに留意すべきであるが、ここでさらに詳述することはしない。それに加えて、Trace(すなわち、シグナリング追跡)ソリューションでは、サービング進化型NodeBは、シグナリング追跡を実行するための構成パラメータをユーザー装置に割り当てる必要はないことに留意すべきであるが、詳細については、従来技術を参照することができる。
【００９０】
前述の説明において明らかにされているように、この実施形態では、OAM機器によって送信されるMDTを実行してデータを収集するための構成パラメータは、指定されるべきユーザー装置識別子を伝え、したがって、アクセスネットワークおよびコアネットワークが異なるOAM機器によって管理されるシナリオであっても、コアネットワークノードは、アクセスネットワークのOAM機器によって指定されるべきユーザー装置識別子を収集することもでき、それによって、アクセスネットワークのOAM機器は、シグナリングベースのMDT構成を開始することもでき、複数のMDT構成モードが、選択のためにオペレータに与えられる。
【００９１】
（実施形態4）
この実施形態では、進化型NodeBは、シグナリング追跡構成情報を進化型NodeBと接続されているすべてのMMEのうちの1つに送信し、追跡構成情報は、MDTを実行してデータを収集するための構成パラメータであることが仮定される。
【００９２】
図4に示されているように、詳しい方法は以下に示す通りとすることができる。
【００９３】
説明を簡単にするため、図4において、MDTを実行してデータを収集するための構成パラメータを単に構成パラメータと呼ぶ。
【００９４】
ステップ401:  アクセスネットワークのOAM機器がMDTに加わる特定のユーザー装置を指定する必要がある場合、アクセスネットワークのOAM機器は、MDTを実行してデータを収集するための構成パラメータを進化型NodeBに送信することができる。MDTを実行してデータを収集するための構成パラメータは、IMSIまたはIMEIなどの、指定すべきユーザー装置識別子を伝える。
【００９５】
指定されたユーザー装置は、1つまたは複数のユーザー装置であってもよいことに留意されたい。すなわち、伝えられるユーザー装置識別子は、1つのユーザー装置識別子であってもよく、またIMSIもしくはIMEIのリストなどの、ユーザー装置識別子のリストであってもよい。
【００９６】
ステップ402:  MDTを実行してデータを収集するための構成パラメータを受信した後、進化型NodeBは、MDTを実行してデータを収集するための構成パラメータを、S1アプリケーションプロトコルメッセージを通じてランダムに進化型NodeBへのS1接続を有するすべてのMMEのうちの1つに送信する。
【００９７】
ステップ403:  進化型NodeBによって転送されたMDTを実行してデータを収集するための構成パラメータを受信した後、MMEは、指定されたユーザー装置のコンテキストがMME内に存在するかどうかを判断し、そのコンテキストが存在していれば、処理はステップ404に進み、そのコンテキストが存在していなければ、処理はステップ405に進む。
【００９８】
ステップ403は任意的である。ステップ403とは別に、進化型NodeBによって転送されたMDTを実行してデータを収集するための構成パラメータを受信した後、MMEは、直接的に、MDTを実行してデータを収集するための構成パラメータをHSSに転送することができ、HSSは、MDTを実行してデータを収集するための構成パラメータを格納し、次いで、従来技術で与えられるシグナリングベースのMDT構成モードに従ってMDTを実行して収集するための構成パラメータを指定されたユーザー装置に割り当てる。詳細については、実施形態3のステップ304を参照のこと。
【００９９】
ステップ404:  指定されたユーザー装置のコンテキストがMME内に存在する場合に、MMEは、MDTを実行してデータを収集するための構成パラメータを格納する。
【０１００】
この場合、MMEは、MDTを実行してデータを収集するための構成パラメータを、MMEと接続されているHSSに転送しても、またはMDTを実行してデータを収集するための構成パラメータをMMEと接続されているHSSにいっさい転送しなくてもよい。
【０１０１】
MMEがMDTを実行してデータを収集するための構成パラメータをHSSに転送する場合、HSSは、MDTを実行してデータを収集するための構成パラメータを格納し、次いで、ユーザー装置によってネットワークがアクセスされるときに、従来技術で与えられるシグナリングベースのMDT構成モードに従ってMDTを実行して収集するための構成パラメータを指定されたユーザー装置に割り当てる。詳細については、実施形態3のステップ304を参照のこと。
【０１０２】
MMEがMDTを実行してデータを収集するための構成パラメータをHSSに転送しない場合、以下の動作を実行することができる。
【０１０３】
(1)アクティブなユーザー装置の場合:
【０１０４】
MMEは、従来技術で与えられるシグナリングベースのMDT構成モードに従ってMDTを実行して収集するための構成パラメータを指定されたユーザー装置に割り当てる。例えば、以下の動作を実行することができる。
【０１０５】
MMEそれ自体が、指定すべきユーザーのサービングMMEであると判定した場合に、MMEは、ユーザーのS1接続を通じてTrace Start(追跡開始)メッセージなどのS1アプリケーションプロトコルメッセージをサービング進化型NodeBに送信し、S1アプリケーションプロトコルメッセージは、MDTを実行してデータを収集するための構成パラメータを伝える。
【０１０６】
MDTを実行してデータを収集するための構成パラメータを受信した後、サービング進化型NodeBは、MDTを実行してデータを収集するための構成パラメータをユーザー装置のS1接続を通じてユーザー装置に割り当て、ドライブテストデータ測定を実行するようにユーザー装置に指令する。
【０１０７】
この場合、MMEによってサービング進化型NodeBに送信される「MDTを実行してデータを収集するための構成パラメータ」は、ユーザー装置識別子を伝えることはできず、サービング進化型NodeBは、他の手段によって現在追跡されるべきユーザー装置を識別することができることに留意されたい。実施形態3におけるセクション(1)の説明を参照のこと。
【０１０８】
(2)アイドル状態(IDLE)のユーザー装置の場合:
【０１０９】
ユーザー装置が、Service Request NASメッセージをMMEに送信するときに、MMEが、起動され、このとき、アクティブなMMEは、従来技術で与えられるシグナリングベースのMDT構成モードに従ってMDTを実行してデータを収集するための構成パラメータを指定されたユーザー装置に割り当てる。例えば、以下の動作を実行することができる。
【０１１０】
アクティブなMMEは、MDTを実行してデータを収集するための構成パラメータを、ユーザー装置をカバーする進化型NodeB、すなわち、サービング進化型NodeBに送信する。
【０１１１】
MDTを実行してデータを収集するための構成パラメータを受信した後、サービング進化型NodeBは、MDTを実行してデータを収集するための構成パラメータをユーザー装置の専用S1接続を通じてユーザー装置に割り当て、ドライブテストデータ測定を実行するようにユーザー装置に指令する。
【０１１３】
この場合、MMEによってサービング進化型NodeBに送信される「MDTを実行してデータを収集するための構成パラメータ」は、ユーザー装置識別子を伝えることはできず、サービング進化型NodeBは、他の手段によって現在追跡されるべきユーザー装置を識別することができることに留意されたい。実施形態3におけるセクション(1)の説明を参照のこと。
【０１１４】
ステップ405:  指定されたユーザー装置のコンテキストがいっさい、MME内に存在しない場合、MMEは、MDTを実行してデータを収集するための構成パラメータをMMEと接続されているHSSに転送し、次いでステップ406を実行する。
【０１１５】
ステップ406:  HSSは、MDTを実行してデータを収集するための構成パラメータを格納し、次いで、ユーザー装置によってネットワークがアクセスされるときに、従来技術で与えられるシグナリングベースのMDT構成モードに従ってMDTを実行してデータを収集するための構成パラメータを指定されたユーザー装置に割り当てる。詳細については、実施形態3のステップ304を参照のこと。
【０１１６】
その後、ユーザー装置は、ドライブテストデータ構成完了メッセージをサービング進化型NodeBに送信することができ、ドライブテストデータをサービング進化型NodeBに報告する。サービング進化型NodeBは、ドライブテストデータを、解析、評価、または診断のためデータ収集エンティティに送信する。
【０１１７】
この実施形態の説明を容易にするため、MDTを実行してデータを収集するための構成パラメータをMMEに送信する進化型NodeBは、サービング進化型NodeB(すなわち、同じ進化型NodeB)であると仮定されていることに留意されたい。当然のことながら、MDTを実行してデータを収集するための構成パラメータをMMEに送信する進化型NodeBは、サービング進化型NodeBと異なる進化型NodeBであってもよい。
【０１１８】
それに加えて、MDTは、この実施形態では単に一例とみなされ、この方法は、従来のTrace(すなわち、シグナリング追跡)ソリューションにも適用可能であり、この場合、特に、シグナリング追跡構成情報は、シグナリング追跡を実行するための構成パラメータであると理解できることに留意すべきであるが、ここでさらに詳述することはしない。それに加えて、Trace(すなわち、シグナリング追跡)ソリューションでは、進化型NodeBは、シグナリング追跡を実行するための構成パラメータをユーザー装置に割り当てる必要はないことに留意すべきであるが、詳細については、従来技術を参照することができる。
【０１１９】
前述の説明において明らかにされているように、この実施形態では、OAM機器によって送信されるMDTを実行してデータを収集するための構成パラメータは、指定されるべきユーザー装置識別子を伝え、したがって、アクセスネットワークおよびコアネットワークが異なるOAM機器によって管理されるシナリオであっても、コアネットワークノードは、アクセスネットワークのOAM機器によって指定されるべきユーザー装置識別子を収集することもでき、それにより、アクセスネットワークのOAM機器は、シグナリングベースのMDT構成を開始することもでき、複数のMDT構成モードが、選択できるようにオペレータに与えられる。
【０１２０】
（実施形態5）
実施形態4と同様に、この実施形態でも、進化型NodeBは、シグナリング追跡構成情報を進化型NodeBと接続されているすべてのMMEのうちの1つに送信すると仮定する。この実施形態は、MMEが受信したシグナリング追跡構成情報をHSSではなくサービングMMEに送信するという点で実施形態4と異なる。
【０１２１】
シグナリング追跡構成情報が図5に示されているようにMDTを実行してデータを収集するための構成パラメータであると仮定すると、詳細な方法は以下の通りとすることができる。
【０１２２】
説明を容易にするため、図5において、MDTを実行してデータを収集するための構成パラメータを単に構成パラメータと呼ぶ。
【０１２３】
ステップ501:  アクセスネットワークのOAM機器がMDTに加わる特定のユーザー装置を指定する必要がある場合、アクセスネットワークのOAM機器は、MDTを実行してデータを収集するための構成パラメータなどのシグナリング追跡構成情報を進化型NodeBに送信することができる。MDTを実行してデータを収集するための構成パラメータは、IMSIまたはIMEIなどの、指定すべきユーザー装置識別子を伝える。
【０１２４】
指定されたユーザー装置は、1つまたは複数のユーザー装置であってもよいことに留意されたい。すなわち、伝えられるユーザー装置識別子は、1つのユーザー装置識別子であってもよく、またIMSIもしくはIMEIのリストなどの、ユーザー装置識別子のリストであってもよい。
【０１２５】
ステップ502:  MDTを実行してデータを収集するための構成パラメータを受信した後、進化型NodeBは、MDTを実行してデータを収集するための構成パラメータを、S1アプリケーションプロトコルメッセージを通じてランダムに進化型NodeBとのS1接続を有するすべてのMMEのうちの1つに送信する。
【０１２６】
ステップ503:  進化型NodeBによって転送されたMDTを実行してデータを収集するための構成パラメータを受信した後、MMEは、指定されたユーザー装置のコンテキストがMME内に存在するかどうかを判断し、そのコンテキストが存在していれば、処理はステップ504に進み、そのコンテキストが存在していなければ、処理はステップ505に進む。
【０１２７】
ステップ504:  指定されたユーザー装置のコンテキストがMME内に存在する場合に、MMEは、MDTを実行してデータを収集するための構成パラメータを格納する。
【０１２８】
この場合、MMEは、MDTを実行してデータを収集するための構成パラメータを、MMEと接続されているHSSに転送しても、またはMDTを実行してデータを収集するための構成パラメータをMMEと接続されているHSSにいっさい転送しなくてもよい。
【０１２９】
MMEがMDTを実行してデータを収集するための構成パラメータをHSSに転送する場合、HSSは、MDTを実行してデータを収集するための構成パラメータを格納し、次いで、ユーザー装置によってネットワークがアクセスされるときに、従来技術で与えられるシグナリングベースのMDT構成モードに従ってMDTを実行してデータを収集するための構成パラメータを指定されたユーザー装置に割り当てる。詳細については、実施形態3のステップ304を参照のこと。
【０１３０】
MMEがMDTを実行してデータを収集するための構成パラメータをHSSに転送しない場合、以下の動作を実行することができる。
【０１３１】
(1)アクティブなユーザー装置の場合:
【０１３２】
MMEは、従来技術で与えられるシグナリングベースのMDT構成モードに従ってMDTを実行してデータを収集するための構成パラメータを指定されたユーザー装置に割り当てる。例えば、以下の動作を実行することができる。
【０１３３】
MMEそれ自体が、指定すべきユーザーのサービングMMEであると判定した場合に、MMEは、ユーザーの専用S1接続を通じてTrace Start(追跡開始)メッセージなどのS1アプリケーションプロトコルメッセージをサービング進化型NodeBに送信し、S1アプリケーションプロトコルメッセージは、MDTを実行してデータを収集するための構成パラメータを伝える。
【０１３４】
MDTを実行してデータを収集するための構成パラメータを受信した後、進化型NodeBは、MDTを実行してデータを収集するための構成パラメータをユーザー装置の専用S1接続を通じてユーザー装置に割り当て、ドライブテストデータ測定を実行するようにユーザー装置に指令する。
【０１３５】
この場合、MMEによってサービング進化型NodeBに送信される「MDTを実行してデータを収集するための構成パラメータ」は、ユーザー装置識別子を伝えることはできず、サービング進化型NodeBは、他の手段によって現在追跡されるべきユーザー装置を識別することができることに留意されたい。実施形態3におけるセクション(1)の説明を参照のこと。
【０１３６】
(2)アイドル状態(IDLE)のユーザー装置の場合:
【０１３７】
MDTを実行してデータを収集するための構成パラメータは、従来技術で与えられるシグナリングベースのMDT構成モードに従って指定されたユーザー装置に割り当てられる。例えば、以下の動作を実行することができる。
【０１３８】
ユーザー装置が、Service Request NASメッセージをMMEに送信するときに、MMEがアクティベートされる。この場合、アクティブなMMEは、MDTを実行してデータを収集するための構成パラメータを、ユーザー装置をカバーする進化型NodeB、すなわち、サービング進化型NodeBに送信する。
【０１３９】
MDTを実行してデータを収集するための構成パラメータを受信した後、サービング進化型NodeBは、MDTを実行してデータを収集するための構成パラメータをユーザー装置の専用S1接続を通じてユーザー装置に割り当て、ドライブテストデータ測定を実行するようにユーザー装置に指令する。
【０１４０】
この場合、MMEによってサービング進化型NodeBに送信される「MDTを実行してデータを収集するための構成パラメータ」は、ユーザー装置識別子を伝えることはできず、サービング進化型NodeBは、他の手段によって現在追跡されるべきユーザー装置を識別することができることに留意されたい。実施形態3におけるセクション(1)の説明を参照のこと。
【０１４１】
ステップ505:  指定されたユーザー装置のコンテキストがいっさい、MME内に存在しない場合、MMEは、サービングMME識別子と称される、指定されたユーザー装置のサービングMMEのMME識別子をHSSから取得し、次いでステップ506を実行する。
【０１４２】
ステップ506:  HSSはサービングMME識別子をMMEに送信し、次いでステップ507を実行する。
【０１４３】
ステップ507:  サービングMME識別子を受信した後、MMEは、MDTを実行してデータを収集するための構成パラメータをサービングMME識別子に対応するMME(すなわち、指定されたユーザー装置のサービングMME)に送信し、MDTを実行してデータを収集するための構成パラメータを受信した後、サービングMMEは、MDTを実行してデータを収集するための構成パラメータを格納する。その後、ユーザー装置がネットワークにアクセスするときに、ステップ504のセクション(1)または(2)で説明されている動作が実行される。
【０１４４】
その後、ユーザー装置は、ドライブテストデータ構成完了メッセージをサービング進化型NodeBに送信することができ、ドライブテストデータをサービング進化型NodeBに報告する。サービング進化型NodeBは、ドライブテストデータを、解析、評価、または診断のためデータ収集エンティティに送信する。
【０１４５】
この実施形態の説明を容易にするため、MDTを実行してデータを収集するための構成パラメータをMMEに送信する進化型NodeBは、サービング進化型NodeB(すなわち、同じ進化型NodeB)であると仮定されていることに留意されたい。当然のことながら、MDTを実行してデータを収集するための構成パラメータをMMEに送信する進化型NodeBは、サービング進化型NodeBと異なる進化型NodeBであってもよい。
【０１４６】
それに加えて、MDTは、この実施形態では単に一例とみなされ、この方法は、従来のTrace(すなわち、シグナリング追跡)ソリューションにも適用可能であり、この場合、特に、シグナリング追跡構成情報は、シグナリング追跡を実行するための構成パラメータであると理解できることに留意すべきであるが、ここでさらに詳述することはしない。それに加えて、Trace(すなわち、シグナリング追跡)ソリューションでは、進化型NodeBは、シグナリング追跡を実行するための構成パラメータをユーザー装置に割り当てる必要はないことに留意すべきであるが、詳細については、従来技術を参照することができる。
【０１４７】
前述の説明において明らかにされているように、この実施形態では、OAM機器によって送信されるMDTを実行してデータを収集するための構成パラメータは、指定されるべきユーザー装置識別子を伝える。したがって、アクセスネットワークおよびコアネットワークが異なるOAM機器によって管理されるシナリオであっても、コアネットワークノードは、アクセスネットワークのOAM機器によって指定されるべきユーザー装置識別子を収集することもでき、それによって、アクセスネットワークのOAM機器は、シグナリングベースのMDT構成を開始することもでき、複数のMDT構成モードが、選択のためにオペレータに与えられる。
【０１４８】
（実施形態6）
前述の方法をよりよく実施するために、基地局が本発明の実施形態において対応して提供される。図6に示されているように、基地局は、収集ユニット601、送信ユニット602、受信ユニット603、および開始ユニット604を備える。
【０１４９】
収集ユニット601は、OAM機器によって送信される第1のシグナリング追跡構成情報を受信するように構成され、第1のシグナリング追跡構成情報は、ユーザー装置識別子に対応するユーザー装置に対するシグナリング追跡を開始するために使用することができ、第1のシグナリング追跡構成情報は、IMSIまたはIMEIなどのユーザー装置識別子を伝える。
【０１５０】
少なくとも1つのユーザー装置識別子が伝えられる、すなわち、この伝えられるユーザー装置識別子は、1つのユーザー装置識別子であっても、またIMSIまたはIMEIのリストなどのユーザー装置識別子のリストであってもよい。
【０１５１】
送信ユニット602は、収集ユニット601によって受信された第1のシグナリング追跡構成情報を第1のコアネットワークノードに送信するように構成されている。
【０１５２】
受信ユニット603は、サービングコアネットワークノードによって送信される第2のシグナリング追跡構成情報を受信するように構成され、第2のシグナリング追跡構成情報は第1のコアネットワークノードによって提供される第1のシグナリング追跡構成情報に従ってサービングコアネットワークノードによって取得される。
【０１５３】
例えば、ユーザー装置がアクティブであるときに、受信ユニット603は、直接的にサービングコアネットワークノードによって送信される第2のシグナリング追跡構成情報を受信するステップを実行することができる。そうでなければ、ユーザー装置がアクティブでない。例えば、ユーザー装置がアイドル状態であるか、またはデタッチされている場合に、受信ユニット603は、第1のシグナリング追跡構成情報で伝えられるユーザー装置識別子に対応するユーザー装置がネットワークにアクセスするときにサービングコアネットワークノードによって送信された第2のシグナリング追跡構成情報を受信するステップを実行する。
【０１５４】
開始ユニット604は、受信ユニットによって受信された第2のシグナリング追跡構成情報に従ってユーザー装置に対するシグナリング追跡を開始するように構成されている。
【０１５５】
特に、送信ユニット602は、第1のシグナリング追跡構成情報を基地局それ自体と接続されている第1のコアネットワークノードに送信することができ、また第1のシグナリング追跡構成情報を基地局それ自体と接続されている少なくとも1つの第1のコアネットワークノードに送信することもできる。すなわち、以下の通りである。
【０１５６】
送信ユニット602は、第1のシグナリング追跡構成情報を基地局それ自体と接続されている第1のコアネットワークノードに送信するように特に構成されており、したがって、第1のコアネットワークノードは、第1のシグナリング追跡構成情報を格納し、その第1のシグナリング追跡構成情報をHLRまたはHSSに転送し、または、その第1のシグナリング追跡構成情報を格納し、かつ、その第1のシグナリング追跡構成情報をHLRまたはHSSに転送する。すなわち、第1のシグナリング追跡構成情報を受信した後、コアネットワークノードは、第1のシグナリング追跡構成情報を直接的に格納することができ、また、第1のシグナリング追跡構成情報をHLRまたはHSSに直接的に転送することもでき、または、第1のシグナリング追跡構成情報を前処理し、次いでHLRまたはHSSに転送するかどうかを決めることもできる。例えば、第1のコアネットワークノードは、指定すべきユーザー装置のコンテキストがコアネットワークノード内に存在するかどうかを判定することができる。そのコンテキストが存在する場合に、第1のコアネットワークノードがユーザー装置のサービングコアネットワークノードであることを示し、それにより、第1のコアネットワークノードは、第1のシグナリング追跡構成情報を格納する。ある実施形態において、そのコンテキストが存在しない場合、第1のコアネットワークノードがユーザー装置のサービングコアネットワークノードでないことを示し、それにより、第1のコアネットワークノードは、第1のシグナリング追跡構成情報をHSSまたはHLRに転送する。
【０１５７】
あるいは、送信ユニット602は、第1のシグナリング追跡構成情報を基地局それ自体と接続されている少なくとも1つの第1のコアネットワークノードに送信するように特に構成されている。したがって、第1のシグナリング追跡構成情報を受信した第1のコアネットワークノードは、第1のシグナリング追跡構成情報を処理する。この処理は、ユーザー装置のコンテキストが第1のシグナリング追跡構成情報を受信した第1のコアネットワークノード内に存在する場合に、第1のシグナリング追跡構成情報を受信した第1のコアネットワークノードは、第1のシグナリング追跡構成情報を格納すること、または、ユーザー装置のコンテキストが第1のシグナリング追跡構成情報を受信した第1のコアネットワークノード内に存在しない場合に、第1のシグナリング追跡構成情報を受信した第1のコアネットワークノードは、第1のシグナリング追跡構成情報をHSSもしくはHLRまたはユーザー装置のサービングコアネットワークノードに転送すること、を含む。
【０１５８】
第1のシグナリング追跡構成情報および第2のシグナリング追跡構成情報は、シグナリング追跡を実行するための構成パラメータ、MDTを実行してデータを収集するための構成パラメータ、またはそのいずれも含み得る。それに加えて、第1のコアネットワークノードおよびサービングコアネットワークノードは、同じコアネットワークノードであっても、また異なるコアネットワークノードであってもよい。
【０１５９】
第2のシグナリング追跡構成情報は、従来技術のシグナリング追跡構成情報と同じであり、第2のシグナリング追跡構成情報は、第1のシグナリング追跡構成情報と、第1のシグナリング追跡構成情報はユーザー装置識別子を伝える一方で、第2のシグナリング追跡構成情報はユーザー装置識別子を伝える場合とユーザー装置識別子を伝えない場合とがあるという点で異なることに留意されたい。
【０１６０】
前述のユニットの詳細な実装については、前述の実施形態を参照のこと。ここではさらに詳述しない。
【０１６１】
前述の説明において明らかにされているように、この実施形態の基地局の収集ユニット601は、OAM機器によって送信される第1のシグナリング追跡構成情報を受信することができ、第1のシグナリング追跡構成情報がユーザー装置識別子を伝える。次いで、送信ユニット602が第1のシグナリング追跡構成情報を第1のコアネットワークノードに送信し、したがって、シグナリング追跡が必要な場合に、シグナリングベースのMDT構成を開始するために第2のシグナリング追跡構成情報が第1のシグナリング追跡構成情報に従ってサービング基地局に提供される。このようにして、アクセスネットワークおよびコアネットワークが異なるOAM機器によって管理されるシナリオであっても、アクセスネットワークのOAM機器は、シグナリングベースのMDT構成を開始することもでき、複数のMDT構成モードが、選択のためにオペレータに与えられる。
【０１６２】
基地局の他の種類の構造および機能については、前述の方法の実施形態における説明を参照のこと。
【０１６３】
（実施形態7）
それに対応して、本発明の実施形態は、コアネットワーク機器も提供し、このコアネットワーク機器は、本発明の実施形態における第1のコアネットワークノードとして役割を果たすことができる。図7aに示されているように、コアネットワーク機器は、受信ユニット701と処理ユニット702とを備える。
【０１６４】
受信ユニット701は、基地局によって送信される第1のシグナリング追跡構成情報を受信するように構成され、第1のシグナリング追跡構成情報は、IMSIまたはIMEIなどのユーザー装置識別子を伝える。
【０１６５】
少なくとも1つのユーザー装置識別子が伝えられる、すなわち、この伝えられるユーザー装置識別子は、1つのユーザー装置識別子であっても、またIMSIまたはIMEIのリストなどのユーザー装置識別子のリストであってもよい。
【０１６６】
処理ユニット702は、受信ユニット701によって受信された第1のシグナリング追跡構成情報をサービングコアネットワークノードに提供するように構成され、それにより、サービングコアネットワークノードは第1のシグナリング追跡構成情報に従って第2のシグナリング追跡構成情報をサービング基地局に提供し、ユーザー装置識別子に対応するユーザー装置に対するシグナリング追跡を開始する。
【０１６７】
例えば、処理ユニット702は、特に、受信ユニット701によって受信された第1のシグナリング追跡構成情報を格納する動作、受信ユニット701によって受信された第1のシグナリング追跡構成情報をHLRもしくはHSSに転送する動作、または受信ユニット701によって受信された第1のシグナリング追跡構成情報をサービングコアネットワークノードに送信する動作のうちの少なくとも1つを実行するように構成され、それにより、第1のシグナリング追跡構成情報を、ユーザー装置に対するシグナリング追跡を開始するためにサービング基地局に提供することができる。詳細については、図2を参照のこと。ここではさらに詳述しない。
【０１６８】
図7bに示されているように、コアネットワーク機器は、判定ユニット703を備える。
【０１６９】
判定ユニット703は、ユーザー装置識別子に対応するユーザー装置のコンテキストがコアネットワーク機器内に存在すると判定するように構成され、かつ、
【０１７０】
処理ユニット702は、判定ユニット703が、ユーザー装置識別子に対応するユーザー装置のコンテキストがコアネットワーク機器内に存在すると判定した場合に第1のシグナリング追跡構成情報を格納するように特に構成されている。または、
【０１７１】
判定ユニット703は、ユーザー装置識別子に対応するユーザー装置のコンテキストがコアネットワーク機器内に存在しないと判定するように構成され、かつ、
【０１７２】
処理ユニット702は、第1のシグナリング追跡構成情報をHSSもしくはHLRに転送してHSSもしくはHLRが第1のシグナリング追跡構成情報を格納できるように特に構成されている。または、
【０１７３】
判定ユニット703は、ユーザー装置識別子に対応するユーザー装置のコンテキストがコアネットワーク機器内に存在しないと判定し、かつ、
【０１７４】
処理ユニット702は、HSSもしくはHLRから指定されたユーザー装置のサービングコアネットワークノード識別子を取得し、サービングコアネットワークノード識別子に従って第1のシグナリング追跡構成情報をサービングコアネットワークノードに転送し、サービングコアネットワークノードが第1のシグナリング追跡構成情報を格納するように特に構成されている。詳細については、前述の方法の実施形態を参照のこと。ここではさらに詳述しない。
【０１７５】
図7bに示されているように、コアネットワーク機器は、取得ユニット704、第1の構成ユニット705、および第2の構成ユニット706をさらに備えることができる。
【０１７６】
取得ユニット704は、サービングコアネットワークノードとして使用される場合に、第1のシグナリング追跡構成情報を取得するように構成されている。
【０１７７】
第1の構成ユニット705は、ユーザー装置がアクティブであるときに第1のシグナリング追跡構成情報に従って第2のシグナリング追跡構成情報を取得し、ユーザー装置のS1接続を通じて基地局に第2のシグナリング追跡構成情報を伝えるS1アプリケーションプロトコルメッセージを送信するように構成されている。
【０１７８】
第2の構成ユニット706は、ユーザー装置がアイドル状態であるか、またはデタッチされているときにユーザー装置によって送信されたアクティベーションメッセージを受信した後に第1のシグナリング追跡構成情報に従って第2のシグナリング追跡構成情報を取得し、ユーザー装置のS1接続を通じて基地局に第2のシグナリング追跡構成情報を伝えるS1アプリケーションプロトコルメッセージを送信するように構成されている。
【０１７９】
第1のシグナリング追跡構成情報および第2のシグナリング追跡構成情報は、シグナリング追跡を実行するための構成パラメータ、MDTを実行してデータを収集するための構成パラメータ、または、そのいずれも含み得る。それに加えて、第2のシグナリング追跡構成情報は、従来技術による従来技術のシグナリング追跡構成情報と同じであり、第2のシグナリング追跡構成情報は、第1のシグナリング追跡構成情報と、第1のシグナリング追跡構成情報はユーザー装置識別子を伝える一方で、第2のシグナリング追跡構成情報はユーザー装置識別子を伝える場合とユーザー装置識別子を伝えない場合とがあるという点で異なることに留意されたい。
【０１８０】
前述のユニットの詳細な実装については、前述の方法の実施形態を参照のこと。ここではさらに詳述しない。
【０１８１】
特に、コアネットワーク機器は、MMEであってもよい。
【０１８２】
前述の説明において明らかにされているように、この実施形態におけるコアネットワークデバイスの受信ユニット701は、基地局を通じて間接的にアクセスネットワークのOAM機器によって送信された指定されたユーザー装置識別子を伝える第1のシグナリング追跡構成情報を取得することができる。したがって、アクセスネットワークおよびコアネットワークが異なるOAM機器によって管理されるシナリオであっても、アクセスネットワークのOAM機器は、シグナリングベースのMDT構成を開始することもでき、複数のMDT構成モードが、選択のためにオペレータに与えられる。
【０１８３】
コアネットワークノードの他の種類の構造および機能については、前述の方法の実施形態における説明を参照のこと。
【０１８４】
（実施形態8）
それに対応して、本発明の実施形態において提供される任意の基地局および任意のコアネットワーク機器を含む通信システムも、本発明の実施形態は提供し、ここで、コアネットワーク機器は、第1のコアネットワークノードとしての役割を果たす。
【０１８５】
基地局は、OAM機器によって送信される指定されるべきユーザー装置識別子を伝える第1のシグナリング追跡構成情報を受信し、第1のシグナリング追跡構成情報を第1のコアネットワーク機器に送信し、サービングコアネットワークノードによって送信される第2のシグナリング追跡構成情報を受信し、サービングコアネットワークノードによって送信される第2のシグナリング追跡構成情報に従ってユーザー装置に対するシグナリング追跡を開始するように構成されている。第1のシグナリング追跡構成情報は、ユーザー装置識別子に対応するユーザー装置に対するシグナリング追跡を開始するために使用され、第2のシグナリング追跡構成情報は、第1のコアネットワークノードによって提供される第1のシグナリング追跡構成情報に従ってサービングコアネットワークノードによって取得される。
【０１８６】
コアネットワーク機器は、基地局によって送信される指定されるべきユーザー装置識別子を伝える第1のシグナリング追跡構成情報を受信し、第1のシグナリング追跡構成情報をサービングコアネットワークノードに提供するように構成される。それにより、サービングコアネットワークノードが、第1のシグナリング追跡構成情報に従って第2のシグナリング追跡構成情報をサービング基地局に提供して、ユーザー装置識別子に対応するユーザー装置に対するシグナリング追跡を開始する。
【０１８７】
例えば、第1のシグナリング追跡構成情報を受信した後、コアネットワーク機器は、第1のシグナリング追跡構成情報を格納し、その第1のシグナリング追跡構成情報をHLRもしくはHSSに転送するか、もしくはその第１のシグナリング追跡構成情報を格納し、かつHLRもしくはHSSに転送するか、または第1のシグナリング追跡構成情報をサービングコアネットワーク機器(すなわち、サービングコアネットワークノードとして機能する機器)に転送して、ユーザー装置に対するシグナリング追跡を開始するようにすることができる。例えば、ユーザー装置識別子に対応するユーザー装置がネットワークにアクセスするときに、サービングコアネットワークノードは、第2のシグナリング追跡構成情報をサービング基地局に送信し、ユーザー装置に対するシグナリング追跡を開始する。
【０１８８】
通信システムは、HSSまたはHLRをさらに備えることができる。
【０１８９】
HSSまたはHLRは、コアネットワーク機器によって送信される第1のシグナリング追跡構成情報を受信し、第1のシグナリング追跡構成情報を格納するように構成されている。
【０１９０】
HSSまたはHLRは、第1のシグナリング追跡構成情報をサービングコアネットワークノード(すなわち、サービングコアネットワーク機器)に提供するようにさらに構成されている。
【０１９１】
特に、ユーザー装置識別子は、IMSIまたはIMEIなどであってもよい。伝えられるユーザー装置識別子は、1つのユーザー装置識別子であっても、IMSIまたはIMEIのリストなどの複数のユーザー装置識別子を含むリストであってもよい。
【０１９２】
第1のシグナリング追跡構成情報および第2のシグナリング追跡構成情報は、シグナリング追跡を実行するための構成パラメータ、MDTを実行してデータを収集するための構成パラメータ、または、そのいずれも含み得る。第2のシグナリング追跡構成情報は、従来技術による従来技術のシグナリング追跡構成情報と同じであり、第2のシグナリング追跡構成情報は、第1のシグナリング追跡構成情報と、第1のシグナリング追跡構成情報はユーザー装置識別子を伝える一方で、第2のシグナリング追跡構成情報はユーザー装置識別子を伝える場合とユーザー装置識別子を伝えない場合とがあるという点で異なることに留意されたい。
【０１９３】
前述の機器の詳細な実装については、前述の方法の実施形態を参照のこと。ここではさらに詳述しない。
【０１９４】
前述の説明において明らかにされているように、この実施形態における通信システムでは、OAM機器によって送信される第1のシグナリング追跡構成情報は、指定されるべきユーザー装置識別子を伝える。したがって、アクセスネットワークおよびコアネットワークが異なるOAM機器によって管理されるシナリオであっても、コアネットワーク機器は、アクセスネットワークのOAM機器によって指定されるべきユーザー装置識別子を収集することもできる。それによって、アクセスネットワークのOAM機器は、シグナリングベースのMDT構成を開始することもでき、複数のMDT構成モードが、選択のためにオペレータに与えられる。
【０１９５】
システムの他の種類の構造および機能については、前述の方法の実施形態における説明を参照のこと。
【０１９６】
当業者であれば、本発明の実施形態における方法のステップの全部または一部は、関連するハードウェアに命令を送るプログラムによって実装され得ることを理解するであろう。プログラムは、コンピュータ可読記憶媒体に格納することができる。記憶媒体は、リードオンリーメモリ(ROM: Read Only Memory)、ランダムアクセスメモリ(RAM: Random Access Memory)、磁気ディスク、または光ディスクなどとすることができる。
【０１９７】
本発明のいくつかの実施形態によるシグナリング追跡の方法、装置、およびシステムが上記で詳述されている。本発明の原理および実装の方法を例証するためにいくつかの例が使用されている。上記の実施形態に関する説明は、本発明の方法およびその核心の考え方を理解することを容易にするためにのみ述べられている。当業者であれば、本発明の核心の考え方に従って特定の実装形態および用途の範囲に対しさまざまな修正および変更を加えることができる。結論として、本明細書の説明内容は、本発明を限定するものとして解釈すべきでない。
【符号の説明】
【０１９８】
601  収集ユニット
602  送信ユニット
603  受信ユニット
604  開始ユニット
701  受信ユニット
702  処理ユニット
703  判定ユニット
704  取得ユニット
705  第1の構成ユニット
706  第2の構成ユニット
【図１ａ】
0005796264.tif 000002
【図１ｂ】
0005796264.tif 000003
【図１ｃ】
0005796264.tif 000004
【図２】
0005796264.tif 000005
【図３】
0005796264.tif 000006
【図４】
0005796264.tif 000007
【図５】
0005796264.tif 000008
【図６】
0005796264.tif 000009
【図７ａ】
0005796264.tif 000010
【図７ｂ】
0005796264.tif 000011